(57)【要約】【課題】複数の電極組立体に対して同位置にテープの端部を貼り付けることができる電極組立体のテープ貼り付け方法を提供する。【解決手段】負極電極２１と正極電極２３とが積層された電極組立体２０に対し、積層方向の第１及び第２端面３１，３２とそれらを繋ぐタブ側端面３３ａとに亘ってテープ４０を貼り付ける。タブ側端面３３ａは、負極電極２１において正極電極２３の縁部よりも外側にはみ出すはみ出し部２１ａの縁部が積層されて構成される。電極組立体２０は、第１及び第２端面３１，３２に負極電極２１及び正極電極２３が対向する対向部が投影される第１領域Ａ１を有し、第１領域Ａ１の縁部のうちタブ側端面３３ａに近い縁部にタブ側縁部Ａ１ａを有する。テープ４０の第１及び第２部位４１，４２を、常に第１及び第２端面３１，３２においてタブ側縁部Ａ１ａから所定の距離Ｘ，Ｙ離れた第１及び第２位置Ｐ１，Ｐ２に位置させて押圧する。【選択図】図５
2019046624.tif 000002
【特許請求の範囲】
【請求項１】
複数の第１の電極と、前記第１の電極と極性が異なる複数の第２の電極とが絶縁された状態で交互に積層された電極組立体に対し、該電極組立体における前記第１の電極及び前記第２の電極の積層方向の両端面と前記両端面を繋ぐ連結端面とに亘ってテープを貼り付ける電極組立体のテープ貼り付け方法であって、
前記第１の電極の外形は、前記第２の電極の外形より大きく、前記第１の電極は、前記第１の電極と前記第２の電極とが積層された状態で前記第２の電極の縁部よりも外側にはみ出すはみ出し部を備え、前記連結端面は、前記第１の電極のはみ出し部の縁部が積層されて構成され、
前記電極組立体は、前記両端面に、前記第１の電極及び前記第２の電極が対向する対向部が投影される重合領域を有し、前記重合領域の縁部のうち、前記テープが貼り付けられる前記連結端面に近い縁部を基準縁部としたとき、
前記両端面のうち、一方の端面において前記重合領域の基準縁部から所定の距離離れた位置を第１位置とし、他方の端面において前記重合領域の基準縁部から所定の距離離れた位置を第２位置としたとき、
前記テープの一方の端部を常に前記第１位置に位置させて押圧し、前記テープの他方の端部を常に前記第２位置に位置させて押圧することを特徴とする電極組立体のテープ貼り付け方法。
【請求項２】
前記テープの両方の端部の端は、前記重合領域に貼り付けられる請求項１に記載の電極組立体のテープ貼り付け方法。
【請求項３】
前記第１の電極は負極電極であり、前記第２の電極は、袋状セパレータに収納された正極電極であり、
前記袋状セパレータの外形は、前記負極電極の外形と同じ大きさであり、前記袋状セパレータは、前記正極電極の縁部よりも外側にはみ出すはみ出し部を備え、
前記連結端面は、前記負極電極のはみ出し部の縁部と前記袋状セパレータのはみ出し部の縁部とが積層されて構成されている請求項１又は請求項２に記載の電極組立体のテープ貼り付け方法。
【発明の詳細な説明】
【技術分野】
【０００１】
本発明は、電極組立体にテープを貼り付ける電極組立体のテープ貼り付け方法に関する。
【背景技術】
【０００２】
二次電池などの蓄電装置は、ケースと、ケースに収容された直方体状の電極組立体とを備える。電極組立体は、シート状の正極電極とシート状の負極電極とがセパレータを介して交互に積層された層状構造を有する。正極電極及び負極電極は、金属箔と、金属箔の両面に存在する活物質層とを有する。特許文献１に開示の二次電池では、電極組立体の積層方向の両端面と両端面を繋ぐ連結端面とに亘ってテープが貼り付けられている。このテープにより、正極電極、負極電極、及びセパレータの積層方向及び面方向へのばらつきが規制される。テープは、積層方向の一方の端面に貼り付けられる第１部位と、積層方向の他方の端面に貼り付けられる第２部位と、連結端面に貼り付けられる第３部位とを備える。二次電池の製造工程は、前工程から順に搬送される複数の電極組立体に対して順にテープを貼り付けていくテープの貼り付け工程を含む。
【先行技術文献】
【特許文献】
【０００３】
【特許文献１】特開２０１５−０５３２２０号公報
【発明の概要】
【発明が解決しようとする課題】
【０００４】
電極組立体は、厚みが公差の範囲内である正極電極及び負極電極を積層して形成される。ところが、積層される複数の正極電極及び負極電極に、例えば、厚みが公差の範囲内で基準の厚みよりも厚いものが多数含まれていると、電極組立体の積層方向の厚みは厚くなり、連結端面の寸法も長くなる。このように厚みが公差の範囲内である正極電極及び負極電極を積層して電極組立体を形成しても、積層方向の厚みは電極組立体ごとにばらつき、積層方向の厚みが異なる電極組立体が混在する。このため、テープの貼り付け工程では、積層方向の厚みが異なる複数の電極組立体に順にテープを貼り付ける必要がある。このとき、電極組立体の積層方向の厚みが厚くなるほど連結端面に貼り付けられるテープの第３部位の長さも長くなり、第１部位及び第２部位の端は、他の電極組立体に貼り付けられた第１部位及び第２部位の端よりも連結端面寄りに位置する。よって、各電極組立体に対して一定の位置にテープを貼り付ける、すなわち複数の電極組立体に対して同位置にテープを貼り付けることは困難である。
【０００５】
本発明は、上記課題を解決するためになされたものであり、その目的は、複数の電極組立体に対して同位置にテープの端部を貼り付けることができる電極組立体のテープ貼り付け方法を提供することにある。
【課題を解決するための手段】
【０００６】
上記問題点を解決するための電極組立体のテープ貼り付け方法は、複数の第１の電極と、前記第１の電極と極性が異なる複数の第２の電極とが絶縁された状態で交互に積層された電極組立体に対し、該電極組立体における前記第１の電極及び前記第２の電極の積層方向の両端面と前記両端面を繋ぐ連結端面とに亘ってテープを貼り付ける電極組立体のテープ貼り付け方法であって、前記第１の電極の外形は、前記第２の電極の外形より大きく、前記第１の電極は、前記第１の電極と前記第２の電極とが積層された状態で前記第２の電極の縁部よりも外側にはみ出すはみ出し部を備え、前記連結端面は、前記第１の電極のはみ出し部の縁部が積層されて構成され、前記電極組立体は、前記両端面に、前記第１の電極及び前記第２の電極が対向する対向部が投影される重合領域を有し、前記重合領域の縁部のうち、前記テープが貼り付けられる前記連結端面に近い縁部を基準縁部としたとき、前記両端面のうち、一方の端面において前記重合領域の基準縁部から所定の距離離れた位置を第１位置とし、他方の端面において前記重合領域の基準縁部から所定の距離離れた位置を第２位置としたとき、前記テープの一方の端部を常に前記第１位置に位置させて押圧し、前記テープの他方の端部を常に前記第２位置に位置させて押圧することを要旨とする。
【０００７】
これによれば、電極組立体の積層方向の厚みが厚くなるほど、テープが貼り付けられた状態において、はみ出し部は積層方向の内側に撓む。電極組立体の積層方向の厚みが厚くなっても、はみ出し部が積層方向の内側に撓むことで、テープの端部の端の位置が連結端面寄りになることが抑制される。よって、積層方向の厚みが異なる複数の電極組立体に対して順にテープを貼り付ける場合であっても、複数の電極組立体に対して同位置にテープの端部を貼り付けることができ、テープの貼り付けが容易となる。
【０００８】
また、電極組立体のテープ貼り付け方法について、前記テープの両方の端部の端は、前記重合領域に貼り付けられるのが好ましい。
重合領域の外側の領域は、第２の電極は投影されず、第１の電極のはみ出し部が投影される領域であり、積層方向において第１の電極のはみ出し部同士の間には第２の電極が存在しないことによる空間が存在する。このため、テープの端部の端を重合領域の外側の領域に貼り付けると、テープに対して積層方向に十分な押圧力をかけることができない。これに対し、重合領域は、第１の電極及び第２の電極が対向する対向部が投影される領域であり、積層方向において第１の電極同士の間には第２の電極が存在し、空間が存在しない。このため、テープの端部の端を重合領域に貼り付けることで、テープに対して積層方向に十分な押圧力をかけることができる。よって、テープが剥がれることを抑制できる。
【０００９】
また、電極組立体のテープ貼り付け方法について、前記第１の電極は負極電極であり、前記第２の電極は、袋状セパレータに収納された正極電極であり、前記袋状セパレータの外形は、前記負極電極の外形と同じ大きさであり、前記袋状セパレータは、前記正極電極の縁部よりも外側にはみ出すはみ出し部を備え、前記連結端面は、前記負極電極のはみ出し部の縁部と前記袋状セパレータのはみ出し部の縁部とが積層されて構成されているのが好ましい。
【００１０】
これによれば、負極電極と袋状セパレータに収納された正極電極とが積層された電極組立体の同位置にテープの端部を貼り付けることができる。また、連結端面は、負極電極のはみ出し部の縁部と袋状セパレータのはみ出し部の縁部とが積層されて構成されているため、負極電極のはみ出し部が撓んだ際に正極電極に接触し、負極電極と正極電極とが短絡することを抑制できる。
【発明の効果】
【００１１】
本発明によれば、複数の電極組立体に対して同位置にテープの端部を貼り付けることができる。
【図面の簡単な説明】
【００１２】
【図１】実施形態の二次電池の分解斜視図。
【図２】電極組立体の分解斜視図。
【図３】電極組立体の側面図。
【図４】電極組立体のテープ貼り付け装置を示す側面図。
【図５】（ａ），（ｂ）は電極組立体の断面図。
【発明を実施するための形態】
【００１３】
以下、電極組立体のテープ貼り付け方法を具体化した一実施形態を図１〜図５にしたがって説明する。
図１に示すように、二次電池１０は、ケース１１を備える。ケース１１は、有底筒状のケース本体１２と、ケース本体１２の開口部１２ａを塞ぐ蓋１３とを備える。二次電池１０は、ケース１１に収容された電極組立体２０及び電解液（図示略）を備える。
【００１４】
図２に示すように、電極組立体２０は、第１の電極としての複数の負極電極２１と、複数の収納電極２２とを備える。各収納電極２２は、第２の電極としての正極電極２３と、正極電極２３を収納する袋状セパレータ２４とを備える。電極組立体２０は、正極電極２３と負極電極２１とが袋状セパレータ２４によって相互に絶縁された状態で交互に積層されることで構成されている。以下の説明において、負極電極２１及び収納電極２２（正極電極２３及び袋状セパレータ２４）が積層される方向を積層方向とする。
【００１５】
負極電極２１及び正極電極２３は、矩形シート状の金属箔２５を備える。正極電極２３の金属箔２５は、例えばアルミニウム箔である。負極電極２１の金属箔２５は、例えば銅箔である。金属箔２５は、一辺の一部から突出するタブ２６を備える。負極電極２１及び正極電極２３は、金属箔２５の両面に存在する矩形状の活物質層２７を備える。活物質層２７は、それぞれの極性用の活物質、バインダ、及び導電助剤などを含む。
【００１６】
図３に示すように、負極電極２１の長手方向の寸法は、正極電極２３の長手方向の寸法よりも長い。負極電極２１の短手方向の寸法は、正極電極２３の短手方向の寸法よりも長い。すなわち、負極電極２１の外形は、正極電極２３の外形よりも一回り大きい。したがって、負極電極２１は、負極電極２１と収納電極２２とが積層された状態で、正極電極２３の縁部よりも外側にはみ出すはみ出し部２１ａを備える。本実施形態では、はみ出し部２１ａは、負極電極２１の４つの縁部全体に存在する。
【００１７】
図２に示すように、袋状セパレータ２４は、矩形シート状の一対のセパレータ片２８，２９を備える。各セパレータ片２８，２９は同一形状である。各セパレータ片２８，２９は、多孔質な絶縁体からなる。正極電極２３のタブ２６は、袋状セパレータ２４の縁部から突出している。
【００１８】
各セパレータ片２８，２９の長手方向の寸法は、負極電極２１の長手方向の寸法と同じである。各セパレータ片２８，２９の短手方向の寸法は、負極電極２１の短手方向の寸法と同じである。つまり、各セパレータ片２８，２９の外形は、負極電極２１の外形と同じ大きさであり、正極電極２３の外形よりも一回り大きい。したがって、各セパレータ片２８，２９は、負極電極２１と収納電極２２とが積層された状態で、正極電極２３の縁部よりも外側にはみ出すはみ出し部２４ａを備える。本実施形態では、はみ出し部２４ａは、各セパレータ片２８，２９の４つの縁部全体に存在する。一方のセパレータ片２８のはみ出し部２４ａと、他方のセパレータ片２９のはみ出し部２４ａとは、相互に熱溶着されている。これにより、四角袋状の袋状セパレータ２４に正極電極２３を収納した収納電極２２が構成されている。
【００１９】
図１に示すように、電極組立体２０は、積層方向の一方の端面に第１端面３１を備え、積層方向の他方の端面に第２端面３２を備える。本実施形態の第１端面３１及び第２端面３２は、積層方向の両端に位置する負極電極２１によって構成されている。電極組立体２０は、第１端面３１と第２端面３２とを積層方向に繋ぐ４つの連結端面としての第３端面３３を備える。各第３端面３３は、負極電極２１のはみ出し部２１ａの縁部と袋状セパレータ２４（セパレータ片２８，２９）のはみ出し部２４ａの縁部とが積層されて構成されている。以下、４つの第３端面３３のうち、負極電極２１のタブ２６及び正極電極２３のタブ２６が存在するタブ側端面３３ａを例に説明するが、他の第３端面３３についても同様である。
【００２０】
図３に示すように、電極組立体２０は、第１端面３１及び第２端面３２に重合領域としての第１領域Ａ１を備える。第１領域Ａ１は、電極組立体２０を積層方向から見た側面視で、負極電極２１と正極電極２３とが対向する対向部が投影された領域である。第１領域Ａ１の側面視は、正極電極２３の活物質層２７と同じ矩形状である。電極組立体２０において、第１領域Ａ１に対応する部分では、積層方向において負極電極２１同士の間には正極電極２３が存在するため、空間が存在しない。電極組立体２０は、第１端面３１及び第２端面３２に第２領域Ａ２を備える。第２領域Ａ２は、電極組立体２０を積層方向から見た側面視で、第１領域Ａ１よりも外側に存在する領域であり、負極電極２１のはみ出し部２１ａ及びセパレータ片２８，２９のはみ出し部２４ａが投影された領域である。第２領域Ａ２の側面視は四角環状である。電極組立体２０において、第２領域Ａ２に対応する部分では、積層方向において負極電極２１のはみ出し部２１ａ同士の間には正極電極２３が存在せず、空間が存在する。
【００２１】
第１領域Ａ１と第２領域Ａ２との境界部、すなわち第１領域Ａ１の縁部は、正極電極２３の４つの縁部と一致する。第１領域Ａ１の４つの縁部のうち、タブ側端面３３ａに近い１つの縁部を基準縁部としてのタブ側縁部Ａ１ａとする。第１端面３１において、第１領域Ａ１のタブ側縁部Ａ１ａから内側に向かって垂直に距離Ｘ離れた位置を第１位置Ｐ１とする。第１位置Ｐ１は、第１領域Ａ１に存在する。第２端面３２において、第１領域Ａ１のタブ側縁部Ａ１ａから内側に向かって垂直に距離Ｙ離れた位置を第２位置Ｐ２とする。第２位置Ｐ２は、第１領域Ａ１に存在する。本実施形態では、距離Ｘと距離Ｙは同じ距離に設定される。よって、第１端面３１及び第２端面３２に沿い、かつ積層方向と直交する面方向において、第１位置Ｐ１と第２位置Ｐ２とは同じ位置に存在する。第１位置Ｐ１は、電極組立体２０の第１端面３１に貼り付けられるテープ４０の面積が、テープ４０の剥がれが発生しない十分な面積となるような位置に設定されている。また、第２位置Ｐ２は、電極組立体２０の第２端面３２に貼り付けられるテープ４０の面積が、テープ４０の剥がれが発生しない十分な面積となるような位置に設定されている。
【００２２】
二次電池１０は、電極組立体２０に貼り付けられた６枚の帯状のテープ４０を備える。各テープ４０は、電極組立体２０を構成する負極電極２１及び収納電極２２が積層方向及び面方向にばらけることを規制する。図５（ａ）及び図５（ｂ）に示すように、各テープ４０は、粘着性を有する第１面４０ａと、第１面４０ａと反対側の第２面４０ｂとを備える。第１面４０ａは、電極組立体２０と対向する。各テープ４０は、電極組立体２０の第１〜第３端面３１〜３３の３面に亘って貼り付けられている。各テープ４０は、電極組立体２０の第１端面３１に貼り付けられる一方の端部としての第１部位４１と、第２端面３２に貼り付けられる他方の端部としての第２部位４２と、第３端面３３に貼り付けられる第３部位４３とを備える。第１〜第３部位４１〜４３は、第１部位４１、第３部位４３、第２部位４２の順にテープ４０の長手方向に連続している。テープ４０の長手方向の一端である第１部位４１の端４１ａは、電極組立体２０の第１端面３１の第１位置Ｐ１に位置する。テープ４０の長手方向の他端である第２部位４２の端４２ａは、電極組立体２０の第２端面３２の第２位置Ｐ２に位置する。
【００２３】
次に、電極組立体２０にテープ４０を貼り付ける電極組立体のテープ貼り付け装置５０について説明する。
図４に示すように、電極組立体のテープ貼り付け装置５０は、第１吸着部５１を備える。第１吸着部５１は、テープ４０の第２面４０ｂと対向し、テープ４０の第１部位４１を吸着する吸着パッド５３を備える。第１吸着部５１は、吸着パッド５３の端部５３ａがテープ４０の第１部位４１の端４１ａに位置するようにテープ４０を吸着する。また、第１吸着部５１は、テープ４０の貼り付け時において、吸着パッド５３の端部５３ａが常に電極組立体２０の第１端面３１の第１位置Ｐ１に位置するように動作可能である。
【００２４】
電極組立体のテープ貼り付け装置５０は、第２吸着部５２を備える。第２吸着部５２は、テープ４０の第２面４０ｂと対向し、テープ４０の第２部位４２を吸着する吸着パッド５４を備える。第２吸着部５２は、吸着パッド５４の端部５４ａがテープ４０の第２部位４２の端４２ａに位置するようにテープ４０を吸着する。また、第２吸着部５２は、テープ４０の貼り付け時において、吸着パッド５４の端部５４ａが常に電極組立体２０の第２端面３２の第２位置Ｐ２に位置するように動作可能である。
【００２５】
以下、電極組立体のテープ貼り付け装置５０を用いた電極組立体のテープ貼り付け方法について、作用とともに説明する。
まず、第１吸着部５１及び第２吸着部５２は、テープ４０を吸着して保持する。次に、第１吸着部５１は、テープ４０の第１部位４１を電極組立体２０の第１端面３１に位置させて押圧する。第２吸着部５２は、テープ４０の第２部位４２を電極組立体２０の第２端面３２に位置させて押圧する。テープ４０の第１部位４１は、端４１ａが第１領域Ａ１内の第１位置Ｐ１と一致するように第１端面３１に貼り付けられ、テープ４０の第２部位４２は、端４２ａが第１領域Ａ１内の第２位置Ｐ２と一致するように第２端面３２に貼り付けられる。また、テープ４０の第３部位４３は、電極組立体２０の第３端面３３に貼り付けられる。
【００２６】
ここで、積層方向の厚みがＷ１である電極組立体２０を第１の電極組立体２０ａとし、積層方向の厚みがＷ１よりも厚いＷ２である電極組立体２０を第２の電極組立体２０ｂとする。第１の電極組立体２０ａは、厚みが基準の厚みである負極電極２１及び正極電極２３が積層された電極組立体である。一方、第２の電極組立体２０ｂは、厚みが公差の範囲内で基準の厚みよりも厚い負極電極２１及び正極電極２３が積層された電極組立体である。そして、第１の電極組立体２０ａ及び第２の電極組立体２０ｂが順に搬送され、テープ４０が貼り付けられるものとする。
【００２７】
図５（ａ）に示すように、第１の電極組立体２０ａでは、テープ４０が貼り付けられた状態において、負極電極２１のはみ出し部２１ａ及びセパレータ片２８，２９のはみ出し部２４ａは平坦に延びた状態である。
【００２８】
一方、図５（ｂ）に示すように、第２の電極組立体２０ｂでは、テープ４０が貼り付けられた状態において、積層方向の一端及び他端に位置する負極電極２１のはみ出し部２１ａは積層方向の内側に撓んだ状態である。はみ出し部２１ａが撓み始める位置は、タブ側縁部Ａ１ａと一致する。
【００２９】
第１の電極組立体２０ａにおいてはみ出し部２１ａ及びタブ側端面３３ａに貼り付けられたテープ４０の長さ（図５（ａ）においてドットで示す部分）は、第２の電極組立体２０ｂにおいて撓んだ状態のはみ出し部２１ａ及びタブ側端面３３ａに貼り付けられたテープ４０の長さ（図５（ｂ）においてドットで示す部分）と同じになる。また、第１の電極組立体２０ａの第１端面３１において第１領域Ａ１内に存在する部分に貼り付けられるテープ４０の第１部位４１の面積（距離Ｘとテープ４０の短手方向の寸法との乗算）は、第２の電極組立体２０ｂの第１端面３１において第１領域Ａ１内に存在する部分に貼り付けられるテープ４０の第１部位４１の面積と同じになる。同様に、第１の電極組立体２０ａの第２端面３２において第１領域Ａ１内に存在する部分に貼り付けられるテープ４０の第２部位４２の面積は、第２の電極組立体２０ｂの第２端面３２において第１領域Ａ１内に存在する部分に貼り付けられるテープ４０の第２部位４２の面積と同じになる。
【００３０】
その結果、第１端面３１におけるテープ４０の第１部位４１の端４１ａの位置は、第１の電極組立体２０ａと第２の電極組立体２０ｂとで同じになる。また、第２端面３２におけるテープ４０の第２部位４２の端４２ａの位置は、第１の電極組立体２０ａと第２の電極組立体２０ｂとで同じになる。つまり、はみ出し部２１ａ，２４ａが積層方向の内側に撓むことで、電極組立体２０の積層方向の厚みが厚くなっても、テープ４０の端４１ａ，４２ａの位置がタブ側端面３３ａ寄りになることが抑制される。
【００３１】
次に、本実施形態の効果を記載する。
（１）電極組立体２０の積層方向の厚みが厚くなるほど、テープ４０が貼り付けられた状態において、はみ出し部２１ａ，２４ａは積層方向の内側に撓む。電極組立体２０の積層方向の厚みが厚くなっても、はみ出し部２１ａ，２４ａが積層方向の内側に撓むことで、テープ４０の第１部位４１及び第２部位４２の端４１ａ，４２ａの位置が第３端面３３としてのタブ側端面３３ａ寄りになることが抑制される。よって、積層方向の厚みが異なる複数の電極組立体２０に対して順にテープ４０を貼り付ける場合であっても、複数の電極組立体２０に対して同位置（第１位置Ｐ１及び第２位置Ｐ２）にテープ４０の第１部位４１及び第２部位４２を貼り付けることができ、テープ４０の貼り付けが容易となる。また、一定の長さのテープ４０を積層方向の厚みが異なる複数の電極組立体２０に対して順に貼り付ける場合であっても、複数の電極組立体２０に対して同位置（第１位置Ｐ１及び第２位置Ｐ２）にテープ４０を貼り付けることができ、テープ４０の貼り付けが容易となる。
【００３２】
また、第１位置Ｐ１は、電極組立体２０の第１端面３１に貼り付けられるテープ４０の面積が、テープ４０の剥がれが発生しない十分な面積となるような位置に設定されている。また、第２位置Ｐ２は、電極組立体２０の第２端面３２に貼り付けられるテープ４０の面積が、テープ４０の剥がれが発生しない十分な面積となるような位置に設定されている。また、テープ４０の第１部位４１及び第２部位４２は、常に電極組立体２０の第１位置Ｐ１及び第２位置Ｐ２に押圧されるため、各電極組立体２０について、第１端面３１及び第２端面３２に貼り付けられるテープ４０の面積を一定にできる。よって、各電極組立体２０について、テープ４０が剥がれることを抑制できる。
【００３３】
（２）テープ４０の第１部位４１の端４１ａは、第１端面３１の第１領域Ａ１に貼り付けられ、第２部位４２の端４２ａは、第２端面３２の第１領域Ａ１に貼り付けられる。第１領域Ａ１の外側の第２領域Ａ２は、上述したように正極電極２３が投影されず、はみ出し部２１ａ，２４ａが投影される領域であり、積層方向において負極電極２１のはみ出し部２１ａ同士の間には正極電極２３が存在せず、空間が存在する。このため、テープ４０の第１部位４１及び第２部位４２の端４１ａ，４２ａを第２領域Ａ２に貼り付けると、テープ４０に対して積層方向に十分な押圧力をかけることができない。これに対し、第１領域Ａ１は、負極電極２１と正極電極２３とが対向する対向部が投影された領域であり、積層方向において負極電極２１同士の間には正極電極２３が存在し、空間が存在しない。このため、テープ４０の第１及び第２部位４１，４２の端４１ａ，４２ａを第１領域Ａ１に貼り付けることで、テープ４０に対して積層方向に十分な押圧力をかけることができる。よって、テープ４０が剥がれることを抑制できる。
【００３４】
（３）負極電極２１と収納電極２２とが積層された電極組立体２０の同位置にテープ４０の第１部位４１及び第２部位４２を貼り付けることができる。また、第３端面３３は、負極電極２１のはみ出し部２１ａの縁部と袋状セパレータ２４のはみ出し部２４ａの縁部とが積層されて構成されているため、負極電極２１のはみ出し部２１ａが撓んだ際に正極電極２３に接触し、負極電極２１と正極電極２３とが短絡することを抑制できる。
【００３５】
なお、上記実施形態は、以下のように変更してもよい。
○  負極電極２１において、活物質層２７は金属箔２５の片面に存在してもよい。同様に、正極電極２３において、活物質層２７は金属箔２５の片面に存在してもよい。
【００３６】
○  上記実施形態の電極組立体２０は、負極電極２１と収納電極２２とが交互に積層されて構成されていたが、シート状の負極電極とシート状の正極電極とがシート状のセパレータを介して交互に積層された構成としてもよい。
【００３７】
○  負極電極２１のはみ出し部２１ａは、負極電極２１の４つの縁部全体に存在していたが、１つの縁部に存在してもよく、縁部の一部に存在してもよい。
○  負極電極２１のはみ出し部２１ａは、金属箔２５及び活物質層２７によって構成されていたが、金属箔２５において活物質層２７が存在しない部分を設け、その部分をはみ出し部２１ａとしてもよい。
【００３８】
○  袋状セパレータ２４のセパレータ片２８，２９のはみ出し部２４ａは、セパレータ片２８，２９の４つの縁部全体に存在していたが、１つの縁部に存在してもよく、縁部の一部に存在してもよい。
【００３９】
○  セパレータ片２８，２９の外形は、正極電極２３の外形よりも大きければ、負極電極２１の外形よりも小さくてもよい。この場合、第３端面３３は、負極電極２１のはみ出し部２１ａの縁部のみが積層されて構成される。また、第２領域Ａ２は、負極電極２１のはみ出し部２１ａと袋状セパレータ２４のはみ出し部２４ａとが投影される部分と、負極電極２１のはみ出し部２１ａのみが投影される部分とを有する。
【００４０】
○  テープ４０の枚数は、６枚に限定されず、適宜変更してよい。また、テープ４０を貼る位置は、電極組立体２０の第１〜第３端面３１〜３３に亘って貼り付けられれば、適宜変更してよい。
【００４１】
○  電極組立体のテープ貼り付け装置５０は、吸着部以外の構成であってもよい。ただし、常に電極組立体２０の第１位置Ｐ１及び第２位置Ｐ２にテープ４０の第１部位４１及び第２部位４２を位置させて押圧することができるものとする。
【００４２】
○  上記実施形態では、第１吸着部５１は、テープ４０の第１部位４１の端４１ａを吸着していたが、第１部位４１において第３部位４３寄りの部分を吸着してもよい。同様に、第２吸着部５２は、テープ４０の第２部位４２の端４２ａを吸着していたが、第２部位４２において第３部位４３寄りの部分を吸着してもよい。
【００４３】
○  テープ４０の第１部位４１の端４１ａは、第１位置Ｐ１と一致していなくてもよい。同様に、テープ４０の第２部位４２の端４２ａは、第２位置Ｐ２と一致していなくてもよい。ただし、第１部位４１の一部が第１位置Ｐ１と重なり、第２部位４２の一部が第２位置Ｐ２と重なるようにする。
【００４４】
○  第１位置Ｐ１と第２位置Ｐ２とは、面方向において異なる位置に設定されてもよい。
○  蓄電装置は、例えばキャパシタなど、二次電池以外の蓄電装置にも適用可能である。
【００４５】
○  二次電池１０は、リチウムイオン二次電池以外の他の二次電池であってもよい。要は、正極用の活物質と負極用の活物質との間をイオンが移動するとともに電荷の教授を行うものであればよい。
【符号の説明】
【００４６】
１０…蓄電装置としての二次電池、２０…電極組立体、２１…第１の電極としての負極電極、２１ａ…はみ出し部、２３…第２の電極としての正極電極、２４…袋状セパレータ、２４ａ…はみ出し部、３１…積層方向の一方の端面としての第１端面、３２…積層方向の他方の端面としての第２端面、３３…連結端面としての第３端面、４０…テープ、４１…一方の端部としての第１部位、４２…他方の端部としての第２部位、４１ａ，４２ａ…端、Ａ１…重合領域としての第１領域、Ａ１ａ…基準縁部としてのタブ側縁部、Ｐ１…第１位置、Ｐ２…第２位置。
【図１】
2019046624.tif 000003
【図２】
2019046624.tif 000004
【図３】
2019046624.tif 000005
【図４】
2019046624.tif 000006
【図５】
2019046624.tif 000007